(57)【要約】【課題】待ち時間を利用して、ユーザの行った操作に関連する機能に対する情報を提示する画像形成装置を提供する。【解決手段】ユーザが多機能な装置を直接操作してジョブを実行させたときに、該操作に関連する情報を表示する画像形成装置において、ジョブを実行するための設定情報に対応させて、該設定情報に関連する機能を説明する機能情報を記憶部に記憶しておき、実行中のジョブの処理量が所定量より大きい場合、該ジョブに関連して提示する機能情報を前記記憶部から取得して表示する関連情報提示部を備えるものである。ここで、前記ジョブの処理量の大きさは、印刷枚数あるいは印刷部数で判断される。【選択図】図２
2009175529.tif 000002
【特許請求の範囲】
【請求項１】
ユーザが多機能な装置を直接操作してジョブを実行させたときに、該操作に関連する情報を表示する画像形成装置において、ジョブを実行するための設定情報に対応させて、該設定情報に関連する機能を説明する機能情報を記憶部に記憶しておき、実行中のジョブの処理量が所定量より大きい場合、該ジョブに関連して提示する機能情報を前記記憶部から取得して表示する関連情報提示部を備えることを特徴とする画像形成装置。
【請求項２】
請求項１に記載の画像形成装置において、前記機能情報は、静止画を用いて提示する内容を表現することを特徴とする画像形成装置。
【請求項３】
請求項１に記載の画像形成装置において、前記機能情報は、動画を用いて提示する内容を表現することを特徴とする画像形成装置。
【請求項４】
請求項１に記載の画像形成装置において、前記関連情報提示部は、前記ジョブの処理量の大きさに応じて、静止画あるいは動画のいずれか一方を選択して表示することを特徴とする画像形成装置。
【請求項５】
請求項１に記載の画像形成装置において、前記関連情報提示部は、前記ジョブの処理量の大きさを印刷枚数によって判断することを特徴とする画像形成装置。
【請求項６】
請求項１に記載の画像形成装置において、前記関連情報提示部は、前記ジョブの処理量の大きさを印刷部数によって判断することを特徴とする画像形成装置。
【請求項７】
請求項１に記載の画像形成装置において、前記機能情報は、前記ジョブよりも省紙となる機能情報であることを特徴とする画像形成装置。
【請求項８】
請求項１に記載の画像形成装置において、前記機能情報は、前記ジョブよりも印刷時間を短縮する機能情報であることを特徴とする画像形成装置。
【請求項９】
請求項１に記載の画像形成装置において、前記機能情報は、前記ジョブよりも高機能情報であることを特徴とする画像形成装置。
【発明の詳細な説明】
【技術分野】
【０００１】
本発明は、ユーザの行った操作に関連する機能に対する情報を提示する画像形成装置に関し、原稿読み取り機能、複写機能、印刷機能、ファクシミリ機能等の複数の機能を備えた複合機に適用して好適である。
【背景技術】
【０００２】
画像形成装置としては、一般的には、ファクシミリ装置、複写装置、印刷装置、原稿読取装置およびそれらの機能を備える複合機が知られており、それらの画像形成装置の機能は飛躍的に増加している。機能の増加に伴い、ユーザにとって利用方法が不明であったり、操作方法が不明であったりする場面も増加している。
このような状態を支援するために、ヘルプ機能（ガイダンス機能）を設け、操作パネル上に備えられた表示部に機能説明を表示することが行われている（特許文献１）。
【０００３】
しかし、このようなヘルプ機能（ガイダンス機能）は、ユーザが選択した機能についてのガイダンスを行うものであるため、装置が有するすべての機能を知りたい場合には、ユーザは各機能について選択操作を繰り返す必要があり、装置が有する機能数の増加にともなって操作が煩雑化し、所望する処理結果を得るために必要な機能を容易に選択することができないという問題がある。
【０００４】
また、ユーザに画像形成装置などの装置の性能や新機能等を見てもらうために、店頭や装置の設置場所において、一般に、デモ表示が行われている（特許文献２）。
しかし、このようなデモ表示では、装置全体でどのような機能があるかの注意を促すうえで有効であるが、ユーザの今操作した機能に対して、もっと適切な機能があるかどうかは判然としない。
【特許文献１】特開２００２−１８２５２９号公報
【特許文献２】特開２００７−１８９３３０号公報
【発明の開示】
【発明が解決しようとする課題】
【０００５】
ところで、画像形成装置で大量の処理を行わせる場合、その処理が完了するまでに時間がかかり、その間、ユーザは手持ち無沙汰の状態、即ち、待ち時間が生じている。
また、上述のように画像形成装置の複合化および高機能化に伴い、ユーザはそのすべてを理解することができなくなり、画像形成装置の機能を十分に活用できないという問題が生じている。
【０００６】
本発明は、上述の実情を考慮してなされたものであり、待ち時間を利用して、ユーザの行った操作に関連する機能に対する情報を提示する画像形成装置を提供することを目的とする。
【課題を解決するための手段】
【０００７】
上記の課題を解決するために、本発明の画像形成装置は、次のような構成とする。
この画像形成装置は、ユーザが多機能な装置を直接操作してジョブを実行させたときに、該操作に関連する情報を表示する画像形成装置であって、ジョブを実行するための設定情報に対応させて、該設定情報に関連する機能を説明する機能情報を記憶部に記憶しておき、実行中のジョブの処理量が所定量より大きい場合、該ジョブに関連して提示する機能情報を前記記憶部から取得して表示する関連情報提示部を備えるものである。
【０００８】
前記関連情報提示部は、前記ジョブの処理量の大きさを印刷枚数または印刷部数によって判断し、前記ジョブの処理量の大きさが小さいときには静止画を選択し、それ以外の時には動画を選択して表示する。
前記機能情報は、前記ジョブよりも省紙となる機能情報、前記ジョブよりも印刷時間を短縮する機能情報、あるいは、前記ジョブよりも高機能情報とし、これらの機能情報を静止画または動画を用いて表現したものである。
【発明の効果】
【０００９】
本発明によれば、ユーザが画像形成装置の各機能を熟知していない場合であっても、待ち時間を利用して、ユーザの行った操作に関連する機能に対する情報を提示するので、ユーザが画像形成装置の多数の機能を有効に活用することができる。
【発明を実施するための最良の形態】
【００１０】
以下、図面を参照して本発明の画像形成装置に係る好適な実施形態について説明する。
【００１１】
図１は、本発明の実施形態に係る画像形成装置の構成を示すブロック図である。実施形態の画像形成装置は、原稿の画像を読み取って記録用紙に印刷する複写モード、端末装置からの画像を受信して記録用紙に記録するプリンタモード、原稿の画像を読み取って端末装置に送信するスキャナモード、および原稿の画像を読み取って送信したり、原稿の画像を受信して記録用紙に印刷したりするファクシミリモード等を選択的に行うことができる複合機として説明するが、多機能な装置であれば同様に適用することができる。
以下、複写モード、プリンタモード、スキャナモード、ファクシミリモードのことを機能モードと呼ぶことにする。
【００１２】
図１において、画像形成装置１は、画像読取部２、操作部３、画像形成部４、本体制御部５、関連情報提示部６、記憶部７、通信部８を含んで構成されている。
【００１３】
操作部３は、各モード等を設定するためのキー、システム設定キー、テンキー、クリアキー、スタートキー等やタッチパネルからなる入力部と、タッチパネルに重ねて設けられた表示部とを備えている。入力部による入力指示は、本体制御部５に通知される。表示部には、本体制御部５および関連情報提示部６の指示にしたがって入力および処理等が表示される。
【００１４】
記憶部７は、本体制御部５により制御される各部に関する情報、各部の処理途中経過や処理結果を記憶する。
また、この他に、ジョブを実行するための設定情報に対して、この設定情報に関連する機能を説明する機能情報を対応させて記憶する。この機能情報は、ユーザが印刷操作を行うときに設定する種々の状況に応じた設定情報に関連した機能を説明するデータであり、文字や絵等からなる静止画や動画によって予め作成しておく。ここで、動画像の再生時間の方が静止画像の再生時間よりも長いものとして考えることにする。
【００１５】
本体制御部５は、記憶部７に記憶された各部に関する情報をもとに、画像形成装置１全体の動作を制御する。例えば、操作部３の入力部からの入力指示を監視したり、通信部８を通じて監視した外部の端末装置からの入力に応答して各種の機能モードのいずれかを適宜実行すると共に、画像読取部２、画像形成部４および通信部８等を制御する。
また、本体制御部５は、機能モードの実行に際し、画像形成装置１の状態に関する情報、ユーザに通知すべき情報等を操作部３の表示部に的確に案内表示したり、入力指示に関連した情報を関連情報提示部６を通じて操作部３の表示部に表示させる。
【００１６】
画像読取部２は、原稿の画像を読み取って、この画像を示す画像データを記憶部７に記憶する。この後、操作部３から指示された処理内容に従って、記憶部７に記憶された画像データが適切なタイミングで順次読み出されて、画像形成部４に転送される。
画像形成部４は、本体制御部５により転送されてきた画像データに各種の画像処理を適宜施して、記録用紙に印刷する。
通信部８は、ネットワークあるいは電話回線網を通じて画像形成装置１と端末装置とのデータの授受を行う。
【００１７】
上述の画像形成装置１では、各機能モードによって次のように動作する。
複写モードでは、画像読取部２により原稿の画像を読み取り、読み取った画像データを記憶部７に一旦累積し、その画像データを画像形成部４に入力させて、画像形成部４により記録用紙に印刷する。
プリンタモードでは、ネットワークを介して通信部８で受信された端末装置からの画像データを記憶部７に一旦蓄積し、複写モードの場合と同様にして記録用紙に印刷する。
スキャナモードでは、画像読取部２により原稿の画像を読み取り、読み取った画像データを記憶部７に一旦蓄積し、その画像データを通信部８に入力させて、通信部８からネットワークを介して所望の宛先の端末装置へと送信する。
ファクシミリモードの発呼のときには、画像読取部２により原稿の画像を読み取り、この画像を示す画像データを記憶部７に一旦蓄積し、この画像データを通信部８に入力させて、通信部８から電話回線網を介して所望の宛先のファクシミリ装置へと送信する。
ファクシミリモードの着呼のときには、発呼側の端末装置からの画像データを受信して記憶部７に一旦蓄積し、複写モードの場合と同様にして記録用紙に印刷する。
【００１８】
次に、関連情報提示部６について説明する。
本体制御部５は、ユーザが操作部３の入力部を操作して入力した入力指示が画像形成装置１への処理実行の開始であると認識したときに、現在設定されている機能モード（複写モード、プリンタモード、スキャナモード、ファクシミリモードのいずれか）に対応した処理を実行させると共に、現在設定されている機能モードが複写モードのときに、この入力指示に伴って設定した各種の設定情報を関連情報提示部６に送る。
【００１９】
例えば、ユーザが原稿の複写を行うときには、まず、複写に関する設定情報（複写枚数、部数、変倍率、カラー／モノクロ複写、縮刷印刷等）が選択入力されたあと複写開始のキー（スタートキー）が押される。
本体制御部５は、このスタートキーが押されると、それまでに設定した複写に関する設定情報を関連情報提示部６に送る。
【００２０】
関連情報提示部６は、本体制御部５から設定情報を受け取って、図２で示される処理を実行する。
まず、受け取った設定情報に関連する機能情報が記憶部７に登録されているかを調べる（ステップＳ１）。
関連する機能情報が登録されていなかった場合（ステップＳ２／ＮＯ）、関連情報提示の処理を終了する。
【００２１】
一方、関連する機能情報が登録されていた場合（ステップＳ２／ＹＥＳ）、受け取った設定情報から処理量を決定する（ステップＳ３）。
この処理量は、設定情報中の枚数または部数とする。
【００２２】
決定した処理量が所定量より小さい場合（ステップＳ４／ＮＯ）、関連情報提示の処理を終了する。
この所定量は、３０秒から１分程度の間に印刷可能な枚数または部数とする。
【００２３】
一方、決定した処理量が所定量より大きい場合（ステップＳ４／ＹＥＳ）、処理量の大きさによって、再生対象の画像データを決定する（ステップＳ５）。
ここで、静止画像または動画像のいずれを選択するかは、予め設定された閾値によって決定する。例えば、この閾値を３０枚または３０部として、処理量が閾値以下の時には静止画像を選択し、閾値以上の時には動画像を選択することにする。
【００２４】
選択された画像データを操作部３の表示部へ再生表示し、指定された機能モードの処理が完了するまで、繰り返し再生する（ステップＳ６）。この繰り返しの途中で、処理が完了したときには、本体制御部５からの指示によって再生を中止して関連情報提示の処理を終了する。
【００２５】
次に、設定情報に対する機能情報について説明する。
【００２６】
（１）ユーザが通常処理で大量部数の複写を行う場合：
設定情報として印刷部数が所定量以上に設定されている場合は、複数の複合機を用いて印刷ジョブを分配して行なうタンデム機能情報を、印刷時間の面での利点を告知する静止画像あるいは動画像として表示するようにする。
例えば、図３のように、３０部を閾値とした場合、印刷部数が４０部に設定されている場合には、ワンポイントアドバイスとしてタンデム機能説明を動画像として表示する。一方、印刷部数が２５部の場合には、静止画像でワンポイントアドバイスを表示する。
【００２７】
（２）ユーザが通常処理で大量の枚数（または、大量の部数）の複写を行う場合：
設定情報として印刷枚数が所定量以上に設定されている場合は、縮刷印刷（２ｉｎ１／４ｉｎ１等）に関する機能情報を、印刷時間やコストの面での利点を告知する静止画像あるいは動画像として表示するようにする。
例えば、図４のように、３０枚を閾値とした場合、印刷枚数が４０枚に設定されている場合には、ワンポイントアドバイスとして縮刷印刷の機能説明を動画像で表示する。一方、印刷枚数が２５枚の場合には、静止画像でワンポイントアドバイスを表示する。
同様に、小量枚数の原稿ではあるが大量の部数を複写する場合にも、ワンポイントアドバイスとして縮刷印刷の機能説明を動画像で表示する。これにより、ユーザが縮刷印刷の機能を知ることにより、次回からの複数枚原稿の複写時には縮刷印刷機能を使用することができる。
【００２８】
（３）ユーザが特別機能処理を使って複写する場合：
設定情報として、印刷部数が所定量以上で、２枚の原稿を縮小して１枚の用紙に印刷するための縮刷印刷（２ｉｎ１）機能が設定されている場合は、「中とじ」の機能情報を、機能の面での利点を告知する静止画像あるいは動画像として表示するようにする。
例えば、図５のように、３０部を閾値とした場合、印刷部数が３０部で、２枚以上の原稿を２ｉｎ１機能で複写を実行した場合は、ワンポイントアドバイスとして「中とじ」の機能説明を動画像で説明する。一方、印刷部数が２５部の場合には、静止画像でワンポイントアドバイスを表示する。
【００２９】
（４）その他
上記以外にも、設定情報が両面複写設定、変倍機能設定、大量枚数・部数設定、複数の機能を用いた機能設定を行なった場合などについても利用できる。
例えば、両面複写設定時には、「両面複写方向切換機能」を使用すると原稿と正反対の向きで両面複写することができることを、関連する機能情報として表示する。
【００３０】
また、変倍機能を設定した複写時には、「たてよこ独立変倍機能」を使用すると、原稿の縦方向、横方向に独立した倍率を設定することできることを、関連する機能情報として表示する。
【００３１】
また、大量枚数／大量部数の複写設定時には、「お試し複写機能」を使用すると、設定した複写の部数に関係なく、先に１部だけ出力し、仕上がりを確かめてから複写を続けることができ、大量部数複写する場合は仕上がりを確認してから複写できるので便利であるというワンポイントアドバイスを表示する。
【００３２】
また、５種類以上の機能を使用した複写設定時には、「ジョブプログラム機能」を使用すると、一度にたくさんの設定をして複写する場合、色々な複写設定を一つにまとめる機能のジョブプログラムを使用すると簡単な操作で登録した複写設定を呼び出せて便利であるというワンポイントアドバイスを表示する。
【００３３】
上記の実施形態では、関連する機能情報が画像のみで表示していたが、画像と共に音声情報や文字情報をも対応させて保持しておき、関連する機能情報を表示するときに画像の再生に合わせて、音声を再生したり、文字を表示するようにしてもよい。
【００３４】
以上のような構成により、ユーザが画像形成装置の各機能を熟知していない場合であっても、待ち時間を利用して、ユーザの行った操作に関連する機能情報を提示することができるので、ユーザが画像形成装置の多数の機能を有効に活用することができる。
【００３５】
尚、本発明は上述した実施形態に限定されず、本発明の要旨を逸脱しない範囲内で各種の変形、修正が可能であるのは勿論である。
【図面の簡単な説明】
【００３６】
【図１】本発明の実施形態に係る画像形成装置の構成を示すブロック図である。
【図２】関連情報提示部の処理手順を示しフローチャートである。
【図３】ユーザが通常処理で大量部数の複写を行う場合に表示される機能情報（ワンポイントアドバイス）の例である。
【図４】ユーザが通常処理で大量枚数の複写を行う場合に表示される機能情報（ワンポイントアドバイス）の例である。
【図５】ユーザが特別機能処理（２ｉｎ１機能）を使って複写する場合に表示される機能情報（ワンポイントアドバイス）の例である。
【符号の説明】
【００３７】
１…画像形成装置、２…画像読取部、３…操作部、４…画像形成部、５…本体制御部、６…関連情報提示部、７…記憶部、８…通信部。
【図１】
2009175529.tif 000003
【図２】
2009175529.tif 000004
【図３】
2009175529.tif 000005
【図４】
2009175529.tif 000006
【図５】
2009175529.tif 000007